(57)【要約】【課題】小型で軽量な作業者が乗ることのできる走行型の茶園用の肥料散布機、耕起機を提供すること。【解決手段】２本の走行装置を門型枠でつないだ高床式の機体の後部にスクリューによる取出装置のついた小型の肥料供給用ホッパーと、左右走行装置の後に耕起用の犂を取付ける。走行機体として、小型軽量な走行型茶葉摘採機を利用して、摘採作業の他、肥料散布、耕起作業が出来るようにする。【選択図】        図１
2004215592.tif 000002
【特許請求の範囲】
【請求項１】
茶畝を挟んだ２本の走行装置を門型枠でつなぎ、機体後部に小型の肥料供給用ホッパーを設け、左右の畝間に少量ずつ肥料を散布する装置を設けた走行型茶園管理機において、肥料供給用ホッパーを上部を長方形の箱型として、上面開放可能とし、下部は半円筒型とし、円筒型底面に沿ってスクリュー軸を横架し、底面の端部に開口面積の調節が可能な開口部を設け、スクリューの回転によって肥料を開口部から放出することを特徴とした走行型茶園管理機。
【請求項２】
肥料供給用ホッパーを左の畝間用、右の畝間用の２ヶに分割し、機体と脱着可能としたことを特徴とした請求項１記載の走行型茶園管理機。
【請求項３】
機体後部に回転軸を横架し、この回転軸とエンジンにつながる回転軸をベルトクラッチにより連結して、回転、停止を自在とし、肥料供給用ホッパーのスクリュー軸と、横架した回転軸とをベルトクラッチにより連結して、スクリュー軸の回転、停止を自在としたことを特徴とした請求項１または２記載の走行型茶園管理機。
【請求項４】
茶畝を挟んだ２本の走行装置を門型枠でつなぎ、機体後部に左右の畝間を耕起する犂具を取付けた走行型茶園管理機において、機体後部に回転軸を横架し、エンジンにつながる回転軸とベルトクラッチにより連結して、回転、停止を自在とし、横架した回転軸の両端にクランクアームを設け、該クランクアームの回転により犂具の上下をさせることを特徴とした走行型茶園管理機。
【請求項５】
横架した回転軸をクランクアームが上方を向いたとき停止させることを特徴とした請求項４記載の走行型茶園管理機。
【請求項６】
茶畝を挟んだ２本の走行装置を門型枠でつなぎ、機体後部に小型の肥料供給用ホッパーを設け、左右の畝間に少量ずつ肥料を散布すると共に、機体後部の左右に畝間を耕起する犂具を取付けたことを特徴とした請求項１、２、３、４または５記載の走行型茶園管理機。
【請求項７】
茶畝を挟んだ２本の走行装置を門型枠でつなぎ、一方の走行装置に作業者の運転席を設け、他方の走行装置上にエンジンを設け、機体後部に小型の肥料供給用ホッパーを設け、左右の畝間に少量ずつ肥料を散布する装置又は、機体後部の左右に畝間を耕起する犂具を取付けた走行型茶園管理機又は、肥料供給用ホッパーと畝間を耕起する犂具の双方を取付けた走行型茶園管理機において、門型枠下方に摘採装置を設け、摘採装置後方に摘採した茶葉を収容する茶袋を受ける茶袋受板を設け、摘採作業を可能とした請求項１、２、３、４、５または６記載の走行型茶園管理機。
【発明の詳細な説明】
【０００１】
【産業上の利用分野】
この発明は、茶園で各種の作業を行う走行型茶園管理機に関し、茶園管理作業中、肥料散布の作業を行なう肥料散布機、及び耕起作業を行なう耕起機、及び肥料散布作業と耕起作業を同時に行なう複合作業管理機に関するものであって、更に摘採作業を行う摘採機を利用して、肥料散布作業、耕起作業を行わせる複合作業管理機に関する。
【０００２】
【従来の技術】
茶園において、肥料散布作業、耕起作業を行うものとしては、特開２００２−１０１７２９に多目的の乗用型茶園作業車として、本願の出願人により開示されている。
【０００３】
【発明が解決しようとする課題】
特開２００２−１０１７２９においては、茶園での多目的作業の一部として肥料散布作業、耕起作業を行なうことが示されているが、これを実施するに当っての細かな機構は示されていない。この発明は走行型茶園管理機によって、肥料散布作業、耕起作業を実施する場合の細部の機構を提供することを課題とする。更に、特開２００２−１０１７２９に示すような多種の作業を行なう多目的作業車は、現在実用化されていない。従って、この発明では、現在、最も多く使用されている乗用型茶葉摘採機を利用して、肥料散布作業、耕起作業を行なうことができるようにすることを課題とする。
【０００４】
【課題を解決するための手段】
上記課題を解決するために、請求項１記載の発明では、「茶畝を挟んだ２本の走行装置を門型枠でつなぎ、機体後部に小型の肥料供給用ホッパーを設け、左右の畝間に少量ずつ肥料を散布する装置を設けた走行型茶園管理機において、肥料供給用ホッパーを上部を長方形の箱型として、上面開放可能とし、下部は半円筒型とし、円筒型底面に沿ってスクリュー軸を横架し、底面の端部に開口面積の調節が可能な開口部を設け、スクリューの回転によって肥料を開口部から放出する」という手段を用いる。この発明の走行型茶園管理機は、あくまで小規模の茶園で使用することを前提としている。特開２００２−１０１７２９では、下面がベルトコンベヤで出来た肥料散布用の大きなホッパーを機体中央部に設けて、自動的に左右へ振り分け、更にその先へ肥料散布機を設けている。この発明では、大型の肥料ホッパーは設けず、肥料は肥料袋に入ったままの状態で機体中央部に積んでおき、機体後部に上面が開放可能な箱型で、下面を半円筒形とし、スクリュー軸を横架した小型の肥料供給用ホッパーを設ける。この肥料供給用ホッパーが空になると、積んである肥料袋を開き、肥料供給用ホッパーへ手で入れてやるという手段をとっている。肥料供給用ホッパーに入っている肥料は、底面に横架したスクリューの回転によってホッパーの左右の側壁へ向かって寄せられる。スクリューはねじれ方向がホッパーの左右で反対になっており、それぞれ左右の畝間に沿った方向へ寄せられ、そこに設けてある開口部より取り出される。開口部の面積を調節することで、取出量の調節が出来る。
【０００５】
請求項２記載の発明では、「肥料供給用ホッパーを左の畝間用、右の畝間用の２ヶに分割し、機体と脱着可能とする」という手段を用いる。この発明の走行型茶園管理機は、小型軽量に作ってあり、小型トラックで運ぶということを前提にしている。従って、機体後部の肥料供給用ホッパーを脱着可能としておけば、運搬時には外すことによって、トラックの荷台からはみ出すことなく、運搬することが可能となる。
【０００６】
請求項３記載の発明では、「機体後部に回転軸を横架し、この回転軸とエンジンにつながる回転軸をベルトクラッチにより連結して、回転、停止を自在とし、肥料供給用ホッパーのスクリュー軸と、横架した回転軸とをベルトクラッチにより連結して、スクリュー軸の回転、停止を自在とする」という手段をとる。肥料供給用ホッパーのスクリューを回転させるための動力を取る方法として、機体後部に回転軸を横架して、エンジンの回転軸とベルトクラッチでつなぎ、この回転軸と左右の肥料供給用ホッパーのスクリュー軸をベルトクラッチでつなげれば、特別に動力を設けなくても、最も簡単にエンジンの回転からスクリューの回転を引き出すことが可能となり、その回転停止も自在にすることが出来る。
【０００７】
請求項４記載の発明では、「茶畝を挟んだ２本の走行装置を門型枠でつなぎ、機体後部に左右の畝間を耕起する犂具を取付けた走行型茶園管理機において、機体後部に回転軸を横架し、エンジンにつながる回転軸とベルトクラッチにより連結して、回転、停止を自在とし、横架した回転軸の両端にクランクアームを設け、該クランクアームの回転により犂具の上下をさせる」という手段を用いる。機体後部に回転軸を横架し、その両端にクランクアームを設けて回転させれば、左右の畝間を耕起するために設けた犂具を動かして上下させることが出来る。又、その回転軸をエンジンにつながる回転軸とベルトクラッチで連結すれば、ベルトクラッチの入切で犂具の運転、停止が自在に出来る。機体が走行すれば、土中に差し込んだ犂具によって土が掘り起こされ、耕起作業が出来る。
【０００８】
請求項５記載の発明では、「横架した回転軸をクランクアームが上方を向いたとき停止させる」という手段を用いる。犂具を土中に上下させて、耕起作業を行なうが、耕起作業を終わって移動する時は犂具を土中から引き上げておく必要がある。この場合、クランクアームが上を向いた状態で停止させればよい。この為、クランクアームが頂点の方向を向いたとき、ベルトクラッチが切れるようにして横架した回転軸を停止させるという方法を用いる。
【０００９】
請求項６記載の発明では、「茶畝を挟んだ２本の走行装置を門型枠でつなぎ、機体後部に小型の肥料供給用ホッパーを設け、左右の畝間に少量ずつ肥料を散布すると共に、機体後部の左右に畝間を耕起する犂具を取付ける」という手段を用いる。畝間に散布する肥料は、散布されると同時に土中に混ぜ合わせた方が効果的である。この為、肥料散布装置と耕起装置を組合わせて設ければ、散布された肥料は耕起作業の犂具によって土中に混ぜ込まれる。この発明では、機体後部に横架した回転軸により、肥料供給用ホッパーのスクリューの回転と犂具の上下運動を同時にさせることが出来る。
【００１０】
請求項７記載の発明では、「茶畝を挟んだ２本の走行装置を門型枠でつなぎ、一方の走行装置に作業者の運転席を設け、他方の走行装置上にエンジンを設け、機体後部に小型の肥料供給用ホッパーを設け、左右の畝間に少量ずつ肥料を散布する装置又は、機体後部の左右に畝間を耕起する犂具を取付けた走行型茶園管理機又は、肥料供給用ホッパーと畝間を耕起する犂具の双方を取付けた走行型茶園管理機において、門型枠下方に摘採装置を設け、摘採装置後方に摘採した茶葉を収容する茶袋を受ける茶袋受板を設け、摘採作業を可能とする」という手段を用いる。請求項１〜６記載の手段の肥料散布装置、耕起装置等は全て機体後部に取付けてある。従って、機体前部の門型枠の下に摘採装置を設け、摘採装置後方に摘採した茶葉を収容する茶袋を受ける茶袋受板を取付けた走行型茶葉摘採機は、機体後部に肥料散布装置、耕起装置を取付ければ、肥料散布作業、耕起作業以外のときは、摘採作業を行なうことも可能となる。この場合、茶袋受板の上に、肥料袋を積んでおくことが出来る。摘採作業をする時は、肥料供給用ホッパー及び耕起用の犂具は取り外しておく。
【００１１】
【発明の実施の形態】
図面に基づいて、この発明の実施の形態を説明する。この実施例では、請求項７記載の発明の摘採装置を取付けたものを実施例としてあげる。図中の番号で（）で示したものは、左右に同じものがついているもので、図示されていない右半分側に取り付けてあるものを示す。図１は、この発明の走行型茶園管理機の正面図である。図２は図１の側面図であり、摘採作業を行なう場合を示す。図３は図２において後部門型枠に肥料散布用ホッパーと耕起用犂具を取り付けた場合を示す側面図、図４は図３の後部立面図であり、後方から見て左半分を示しており、右半分は対称形のものが取付けてある。図５はエンジンの回転につながる回転軸と機体後部に横架した回転軸を連結するベルトクラッチの関係を示す側面図である。図６は平面図であり、機体後部に２ヶの肥料供給用ホッパーが設けてある。図７は機体後部に横架した回転軸と肥料供給用ホッパーのスクリュー軸を連結するベルトクラッチの関係を示す側面図、図８は肥料供給用ホッパーの開口部の調節機構を示す後立面図である。図９は犂具を上下させるクランクアームが真上を向いたとき停止させる機構を示す側面図、図１０は図９を後方から見た立面図である。
【００１２】
１、２は茶畝を挟んで畝間を走行する無端輸送帯で出来た走行装置である。左右の走行装置１、２はその前後で門型枠４、５で結ばれている。４は前部門型枠、５は後部門型枠である。前部門方枠４の下には、摘採装置６が取付けてある。摘採装置６は櫛状に吹出枝管７のついた送風ダクト８とバリカン状の刈刃９で構成される。送風ダクト８はファン１０と接続しており、吹出枝管７の先から圧力風が噴出する。刈刃９の後方には茶袋１１を取付け、摘採された茶葉を収容する。茶袋１１を保持する為に茶袋受板１２、補助板７０が設けてある。走行装置１の上には運転席が設けてあり、作業者１３が乗って運転する。走行装置２側にはエンジン１４が設けてある。後部門型枠５の左右へ肥料供給用ホッパー１５、１６を取付ける。１５、１６は脱着が容易なように門型枠５へピン４３で取付ける。肥料供給用ホッパー１５、１６の上部は開放されており、底面の半円筒部にはスクリュー１７、１８を横架する。スクリュー１７、１８は、コイル状に巻いたもので、コイル部分には中心軸がないものとする。半円筒底面の端には、開口部１９、２０が設けてある。
【００１３】
図８で肥料供給用ホッパー１５の開口部の詳細を示す。開口部１９には開口面積を調節するためにシャッター２１が取付けてあり、上下にスライドする。シャッター２１はアーム２２と連結棒２３でつないであり、アーム２２は支点２４を中心として上下に回動する。アーム２２を動かして、シャッター２１の開度を調節し、ネジ２５で固定する。右側の肥料供給用ホッパー１６の開口部２０に関しても、勝手違いになるが、同様にシャッターを設ける。開口部１９、２０の下には、ホッパーから取出された肥料を畝間に誘導するシュート２６、２７を取付ける。後部の門型枠５の外側には、回転軸２８を横架する。
【００１４】
図５によって、エンジン１４と回転軸２８の関係を説明する。２９は補助回転軸であって、エンジンの出力軸３０との間にはＶベルト３１が掛けてある。補助回転軸２９と減速機３２の入力軸との間にＶベルト３３が掛けてある。Ｖベルト３３はアーム３５の先に取付けられたテンションプーリー３４で支えられている。又、このアーム３５にはブレーキパッド３６が取付けてあり、アーム３５を下げてテンションをゆるめたとき、減速機３２の入力軸のプーリ３７を押えてブレーキが掛るようにしてある。減速機３２の出力軸３８と回転軸２８にはスプロケット７４、７５が取付けてあり、チェン３９が掛けてある。アーム３５を上に引っ張り上げると、ブレーキパッド３６はプーリ３７から外れ、Ｖベルト３３を張るので、補助回転軸２９の回転が減速機３２へ伝えられ、回転軸２８を回転する。
【００１５】
図７により、回転軸２８の回転をスクリュー１７に伝える機構について説明する。肥料供給用ホッパー１５のスクリュー１７の回転軸にはプーリ４０が取付けてあり、回転軸２８のプーリ４１との間にＶベルト４２が掛けてある。ホッパー１５の上部はピン４３で支えられ、下部はリンク棒４４、４５で機体の支柱とつながっている。リンク棒４５には操作棒４６が取付けてあり、操作棒４６を引き上げると、リンク棒４４、４５は４４’、４５’の位置に折れ曲がり、ホッパー１５の底部は柱側へ引き寄せられ、Ｖベルト４２がたるむ。操作棒４６を下に押せば、Ｖベルト４２が引っ張られ、回転軸２８の回転がプーリ４０に伝えられ、スクリュー１７が回転する。回転軸２８の両端には、クランクアーム４７、４８がついている。走行装置１、２の後には耕起用の犂具４９、５０が設けてある。犂具４９、５０はピン５１、５２を支点として、アーム５３、５４の先に取付けてある。アーム５３、５４はピン５５、５６を介して、ホーク５７、５８で支えられており、ホーク５７、５８はロッド５９、６０によりクランクアーム４７、４８と連結してある。ロッド５９、６０にはバネ６１、６２が入れてあり、犂具４９、５０に無理な力が掛ったときは、バネ６１、６２が縮んで逃げることが出来る。クランクアーム４７、４８の回転により、犂具４９、５０はピン５１、５２を支点として、上下に運動する。機体を走行させると、犂具４９、５０が土を耕起させる作用が生じる。
【００１６】
図９、図１０により、クランクアーム４７、４８を真上に向いた状態で止める機構について説明する。６３は回転軸２８を回転、停止させるためのレバーである。ピン６４を支点として、９０°回動する。レバー６３の中間にピン６５を介してコントロールワイヤー６６がつなげてある。コントロールワイヤー６６の他端は、テンションプーリー３４、ブレーキパッド３６が取付けてあるアーム３５につなげてある。レバー６３を６３’の位置に上げると、コントロールワイヤー６６がゆるみ、アーム３５を下げるので、Ｖベルト３３がゆるみ、ブレーキパッド３６がプーリ３７を押さえ、プーリ３７にブレーキが掛り、回転軸２８は停止する。レバー６３を水平位置まで回すと、コントロールワイヤー６６が引っ張られて、アーム３５を上に上げ、ブレーキパッド３６がプーリ３７から離れ、テンションプーリー３４がＶベルト３３を押し上げて張るので、補助回転軸２９の回転が回転軸２８に伝わり、回転する。６７は停止具であって、ピン６８により門型枠５の支柱に取付けてあり、ピン６８を支点として回動自在とする。クランクアーム４７が回転中は、停止具６７はピン６９に引っ掛けておき、クランクアーム４７に当らないようにしておく。停止具６７をピン６９から外し、回転軸２８の方へ下げると、クランクアーム４７が回転して、上へ向くと停止具６７を上へ押し上げる。その結果、停止具６７の上部がレバー６３を上方へ押し上げ、レバー６３は６３’の位置まで回動する。コントロールワイヤー６６は６６’の位置になってゆるめられる。コントロールワイヤー６６を介してアーム３５が下り、Ｖベルト３３がゆるみ、回転軸２８はクランクアーム４７が上を向いた状態で停止する。
【００１７】
摘採作業を行なう場合について、図２で説明する。摘採作業のときは、機体後部に取付けた肥料散布装置、耕起装置を全て取外す。茶袋受板１２の後に補助板７０を取付けて、茶袋１１を摘採装置に取付け、摘採作業を行う。次に、肥料散布と耕起の作業について説明する。この二つは、まず、摘採作業用の補助板７０を取外し、機体後部に肥料散布装置一式、耕起装置一式を取付け、図５で示すような回転軸２８にエンジンの回転を伝えるＶベルト３３を使ったベルトクラッチ装置一式を取付ける。次いで、肥料供給用ホッパー１５、１６に肥料を投入し、ホッパーの開口部のシャッター２１を調節して、肥料の取出量を合わせる。走行装置１、２を畝間にあわせ、ゆっくり走行させる。レバー６３を倒すと回転軸２８が廻り始め、犂具４９、５０が上下し、耕起作業が始まる。次いで、操作棒４６、４７を押し下げると、スクリュー１７、１８が回転し、開口部１９、２０から肥料が少しずつ取出され、シュート２６、２７を通って、畝間に散布され、犂具４９、５０で土中に犂込まれる。茶畝の端まで行ったら、停止具６７をピン６９から外すと、クランク２８が頂点に向いたところで、レバー６３が押し上げられ、犂具４９、５０が引き上げられた状態で停止する。この状態で、次の畝間へ走行し次の作業へ入る。作業の途中でホッパー内の肥料がなくなったら、茶袋受板１２の上に乗せてある肥料袋７１を開いて、補給する。
【００１８】
この実施例では、主として摘採作業を行なう乗用型茶葉摘採機に耕起装置、肥料散布装置を取り付けたものを示しているが、摘採装置のない耕起作業又は、肥料散布作業のみの専用機、及び耕起、肥料散布作業の複合専用機とすれば、単純化され、軽量で、更に安価なものを提供できる。
【００１９】
【発明の効果】
乗用型肥料散布機としては、重量の重い大型機が一部で用いられている。一般的には、小形の手押し車にエンジンを取付けたものを、畝間に沿って作業者が歩行しながらついていくタイプのものが用いられている。この場合、肥料を入れるホッパーも小型であり、長い茶畝では途中でホッパーが空になる場合もある。この場合、作業者は肥料袋を担いで茶畝の中を歩いて持っていき、補給せねばならない。又、肥料散布と耕起作業を同時に行うことが出来ないので、肥料散布の作業が終わった後で、もう一度エンジンのついた歩行式の耕起機を持ち出して、同じ畝に沿って耕起作業をしなければならない。
【００２０】
この発明の走行型茶園管理機を用いれば、作業者は茶畝に沿って歩かなくてもよい。又、肥料袋を機体に積むことが出来るので、肥料袋を作業者が運ぶ必要はない。又、肥料散布と耕起作業を同時に行うことが出来るので、能率的である。又、一回の走行で２本の畝間を同時に作業できるので、更に、能率的である。一般的に使用されている小型の乗用型茶葉摘採機に簡単な肥料散布装置と耕起装置を取付けるだけで摘採作業の他に肥料散布と耕起作業を行なうことができる。摘採時期と肥料散布、耕起作業の時期は同じではないので、機械の有効利用を計ることが出来、経済効果が期待出来る。
【図面の簡単な説明】
【図１】この発明の走行型茶園管理機の正面図。
【図２】図１の側面図（摘採作業を行う場合を示す）。
【図３】肥料供給用ホッパーと耕起用の犂具の関係を示す側面図。
【図４】肥料供給用ホッパーと耕起用の犂具の関係を示した図３の後部立面図。
【図５】エンジンの動力を取り出すベルトクラッチの関係を示す側面図。
【図６】この発明の走行型茶園管理機（肥料供給用ホッパーを取り付けた場合）の平面図。
【図７】肥料供給用ホッパーの動力を取り出すベルトクラッチの関係を示す側面図。
【図８】肥料供給用ホッパーの開口部の調節機構を示す後立面図。
【図９】犂具を上下させるクランクアームが真上を向いたとき停止させる機構を示す側面図。
【図１０】図９を後方から見た立面図。
【符号の説明】
１  走行装置
２  走行装置
３  茶畝
４  前部門型枠
５  後部門型枠
６  摘採装置
７  吹出枝管
８  送風ダクト
９  刈刃
１０  ファン
１１  茶袋
１２  茶袋受板
１３  作業者
１４  エンジン
１５  肥料供給用ホッパー
１６  肥料供給用ホッパー
１７  スクリュー
１８  スクリュー
１９  開口部
２０  開口部
２１  シャッター
２２  アーム
２３  連結棒
２４  支点
２５  ネジ
２６  シュート
２７  シュート
２８  回転軸
２９  補助回転軸
３０  出力軸
３１  Ｖベルト
３２  減速機
３３  Ｖベルト
３４  テンションプーリー
３５  アーム
３６  ブレーキパッド
３７  プーリ
３８  出力軸
３９  チェン
４０  プーリ
４１  プーリ
４２  Ｖベルト
４３  ピン
４４  リンク棒
４５  リンク棒
４６  操作棒
４７  クランクアーム
４８  クランクアーム
４９  犂具
５０  犂具
５１  ピン
５２  ピン
５３  アーム
５４  アーム
５５  ピン
５６  ピン
５７  ホーク
５８  ホーク
５９  ロッド
６０  ロッド
６１  バネ
６２  バネ
６３  レバー
６４  ピン
６５  ピン
６６  コントロールワイヤー
６７  停止具
６８  ピン
６９  ピン
７０  補助板
７１  肥料袋
７２  座席
７３  減速機入力軸
７４  スプロケット
７５  スプロケット
７６  補助梁
【図１】
2004215592.tif 000003
【図２】
2004215592.tif 000004
【図３】
2004215592.tif 000005
【図４】
2004215592.tif 000006
【図５】
2004215592.tif 000007
【図６】
2004215592.tif 000008
【図７】
2004215592.tif 000009
【図８】
2004215592.tif 000010
【図９】
2004215592.tif 000011
【図１０】
2004215592.tif 000012